(57)【要約】      （修正有）【課題】毛束を立ち上げた状態で維持し、かつ複数の毛束の間隔を調整できる付け毛を提供する。【解決手段】付け毛５は、１本の芯材を折り曲げることで第１折返し部１０と、第１折返し部１０を挟んで両側に設けられた第２折返し部１１と、が形成された芯材部１と、第１折返し部１０に対して摺動可能な状態で第１折返し部１０を挿通させた筒状部材２と、第２折返し部１１に根元部３０が固着された毛束３と、芯材部１の両端部に取り付けられて、芯材部１とで環状部４０を成した紐状部材４と、を備える。【選択図】図１
0003152984.tif 000002
【実用新案登録請求の範囲】
【請求項１】
１本の芯材を折り曲げることで第１折返し部と、前記第１折返し部を挟んで両側に設けられた第２折返し部と、が形成された芯材部と、
前記第１折返し部に対して摺動可能な状態で当該第１折返し部を挿通させた筒状部材と、
前記第２折返し部に根元部が固着された毛束と、
前記芯材部の両端部に取り付けられて、当該芯材部とで環状を成した紐状部材と、を備えることを特徴とする付け毛。
【請求項２】
前記紐状部材がゴムで形成されたことを特徴とする請求項１に記載の付け毛。
【請求項３】
前記毛束の根元部が、前記第２折返し部と合わせてねじられることで前記第２折返し部に固着されたことを特徴とする請求項１又は２に記載の付け毛。
【考案の詳細な説明】
【技術分野】
【０００１】
本考案は付け毛に関するもので、さらに詳しくは、毛束を立たせて使用する付け毛に関するものである。
【背景技術】
【０００２】
従来、地毛に対して毛束を装着することで、毛の量を増やしたり長さを伸ばしたりする付け毛がある（例えば、特許文献１，２参照）。
【０００３】
近年、このような付け毛として、毛束の根元部に針金等の芯材を取り付けたものが提案されている（例えば、特許文献３参照）。この付け毛によれば、芯材の角度を変えて毛束を立ち上げることで、頭髪にボリューム感を出すことができる。
【０００４】
ところで、最近、ヘアスタイルの一つとして「アホ毛」というものがある。「アホ毛」とは、図４に示すように、少量の毛束が一本又は複数本、触角のように立ち上がった状態を言う。
【先行技術文献】
【特許文献】
【０００５】
【特許文献１】実用新案登録第３１２０６１５号
【特許文献２】実開平５−２７０１６号公報
【特許文献３】実用新案登録第３１１９７５４号
【考案の概要】
【考案が解決しようとする課題】
【０００６】
しかしながら、従来の付け毛では、毛束を立ち上げた状態で維持することができなかった。また、毛束が複数ある場合に毛束の間隔を調整することができなかった。
【０００７】
本考案の課題は、毛束を立ち上げた状態で維持し、かつ複数の毛束の間隔を調整することのできる付け毛を提供することである。
【課題を解決するための手段】
【０００８】
請求項１の考案は、付け毛において、
１本の芯材を折り曲げることで第１折返し部と、前記第１折返し部を挟んで両側に設けられた第２折返し部と、が形成された芯材部と、
前記第１折返し部に対して摺動可能な状態で当該第１折返し部を挿通させた筒状部材と、
前記第２折返し部に根元部が固着された毛束と、
前記芯材部の両端部に取り付けられて、当該芯材部とで環状を成した紐状部材と、を備えることを特徴とする。
【０００９】
請求項２の考案は、請求項１に記載の付け毛において、
前記紐状部材がゴムで形成されたことを特徴とする。
【００１０】
請求項３の考案は、請求項１又は２に記載の付け毛において、
前記毛束の根元部が、前記第２折返し部と合わせてねじられることで前記第２折返し部に固着されたことを特徴とする。
【考案の効果】
【００１１】
請求項１記載の考案によれば、付け毛は、芯材部の両端部に取り付けられて当該芯材部とで環状を成した紐状部材を備えるので、当該環状に成された部分を頭部に被せることで、芯材部を頭部に装着することができる。また、第１折返し部の芯材を楕円形、線形、櫛形など、使用者の頭部の形や髪型に合った形状に変形させることで、芯材部を確実に頭部に装着することができる。
また、付け毛には、１本の芯材を折り曲げることで第１折返し部と、前記第１折返し部を挟んで両側に設けられた第２折返し部と、が形成された芯材部と、前記第２折返し部に根元部が固着された毛束と、が具備されるので、上記のように芯材部を頭部に装着する際、第１折返し部を頭部に沿った状態で載置し、必要に応じて頭髪を被せることにより、第１折返し部が芯材部の回転を防止するための支えとなる。
従って、第２折返し部を第１折返し部に対して所望の角度に立ち上げた状態で維持することができるため、当該第２折返し部に固着された毛束を、立ち上げた状態で維持することができる。
【００１２】
また、筒状部材が第１折返し部に対して摺動可能な状態で当該第１折返し部を挿通させているので、筒状部材を第１折返し部に対して摺動させることによって、第１折返し部の根元を開閉することができる。これにより、第１折返し部の両側にある第２折返し部の間隔を調整することができるため、第２折返し部に固着された毛束の間隔を調整することができる。
【００１３】
請求項２記載の考案によれば、紐状部材がゴムで形成されるので、ゴムを伸縮させることで、芯材部を容易に頭部に装着することができる。また、ゴムはある程度の力（例えば１０Ｋｇの力）が加えられると切れるため、誤って付け毛が首に装着されてしまった場合でも、付け毛に引っ張られて首が絞まる等の事故を防ぐことができ、安全性を高めることができる。
【００１４】
請求項３記載の考案によれば、毛束の根元部が、第２折返し部と合わせてねじられることで当該第２折返し部に固着されるので、毛束が芯材部から外れるのを防止できる。また、毛束の根元部を第２折返し部で補強できるので、毛束を立ち上げた状態で確実に維持できる。
【図面の簡単な説明】
【００１５】
【図１】付け毛の全体図である。
【図２】筒状部材が装着された芯材部の図である。
【図３】付け毛の使用方法を示した図である。
【図４】「アホ毛」の図である。
【考案を実施するための形態】
【００１６】
以下、本考案の実施形態に係る付け毛について、図面を参照しながら説明する。
図１は、付け毛５の全体図である。
この図に示すように、付け毛５は、芯材部１と、筒状部材２と、毛束３と、紐状部材４と、を備えている。
【００１７】
芯材部１は、可撓性を有する１本の芯材Ｓを折り曲げることで形成されている。ここで、１本の芯材Ｓとは、複数本の芯材Ｓが連結されている場合を含む。本実施形態では芯材Ｓとして針金が用いられている。
【００１８】
この芯材部１には、図２に示すように、第１折返し部１０と、第１折返し部１０を挟んで両側に設けられた第２折返し部１１と、が形成されている。
【００１９】
第１折返し部１０は筒状部材２に挿通されており、筒状部材２よりも先端側で環状部１００を成している。ここで、筒状部材２は、２本の芯材Ｓが挿通可能な径を有する筒状の部材であり、図３(a)に示すように、第１折返し部１０に対して摺動可能な状態で当該第１折返し部１０を挿通させている。なお、本実施形態では、第１折返し部１０の根元部で筒状部材２に挿通された２本の芯材Ｓは互いに接触しており、環状部１００は、第１折返し部１０の根元部に対して広げられて形成されている。
【００２０】
図１に示すように、第２折返し部１１の先端側には毛束固着部１１０が設けられ、毛束固着部１１０には毛束３の根元部３０が固着される。本実施形態では、毛束３の根元部３０が、毛束固着部１１０と合わせてねじられることで毛束固着部１１０に固着されている。さらに、本実施形態では、毛束３の根元端部３１を毛束固着部１１０の根元で折返し、根元部３０と、根元端部３１と、毛束固着部１１０と、をまとめて糸３２で束ねることで毛束３を毛束固着部１１０に固着しており、好ましくは、この糸３２として、毛束で用いられている毛が用いられている。但し、毛束３の根元部３０が毛束固着部１１０に固着される限りにおいて、他の固着方法でもよい。
【００２１】
また、図１に示すように、芯材部１の両端部には、紐状部材４が取り付けられており、芯材部１と紐状部材４とで環状部４０を成している。本実施形態において、紐状部材４は伸縮性を有するゴムで形成されている。また、このゴムは、１０Ｋｇ程度の力によって切れるようになっている。
【００２２】
また、図１に示すように、本実施形態における紐状部材４は、筒状の連結部材１３を介して芯材部１の両端部に取り付けられている。より詳細には、芯材部１の先端部を環状に折り曲げて連結部材１３に挿通し、連結部材１３の一端から露出した芯材部１の環状先端部に、紐状部材４の端部をくくりつけている。
【００２３】
続いて、図３を参照して、付け毛５の使用方法を説明する。
まず、図３(a)に示すように、筒状部材２を第１折返し部１０に対して摺動させることで、毛束３の間隔Ｘを適宜調整する。
【００２４】
次に、図３(b)に示すように、芯材部１と紐状部材４とで形成された環状部４０を頭部に被せる。なお、図３では環状部１００が頭部の前側に、環状部４０が頭部の後側にくるように装着しているが、毛束３を取り付けたい位置に応じて適宜向きを変えて装着してもよい。
【００２５】
次に、図３(c)に示すように、頭部から外方へ突出していた環状部１００を、頭部側へ折返し、頭部に沿うように載置する。さらに図３(d)に示すように、折返された環状部１００に頭髪を被せることで、環状部１００を安定的に頭部に固定する。
【００２６】
最後に、図３(e)に示すように、頭部に沿って載置された環状部１００に対する毛束固着部１１０の角度を調整することで、毛束３の立ち上がり具合等を調整する。
【００２７】
以上の付け毛５によれば、付け毛５は、芯材部１の両端部に取り付けられて芯材部１とで環状部４０を成した紐状部材４を備えるので、環状部４０を頭部に被せることで、芯材部１を頭部に装着することができる。また、第１折返し部１０の芯材Ｓを楕円形、線形、櫛形など、使用者の頭部の形や髪型に合った形状に変形させることで、芯材部１を確実に頭部に装着することができる。
また、付け毛５には、１本の芯材Ｓを折り曲げることで第１折返し部１０と、第１折返し部１０を挟んで両側に設けられた第２折返し部１１と、が形成された芯材部１と、第２折返し部１１に根元部３０が固着された毛束３と、が具備されるので、上記のように芯材部１を頭部に装着する際、第１折返し部１０を頭部に沿った状態で載置し、必要に応じて頭髪を被せることにより、第１折返し部１０が芯材部１の回転を防止するための支えとなる。
従って、第２折返し部１１を第１折返し部１０に対して所望の角度に立ち上げた状態で維持することができるため、第２折返し部１１に固着された毛束３を、立ち上げた状態で維持することができる。
【００２８】
また、筒状部材２が第１折返し部１０に対して摺動可能な状態で第１折返し部１０を挿通させているので、筒状部材２を第１折返し部１０に対して摺動させることによって、第１折返し部１０の根元を開閉することができる。これにより、第１折返し部１０の両側にある第２折返し部１１の間隔を調整することができるため、第２折返し部１１に固着された毛束３の間隔Ｘを調整することができる。
【００２９】
また、紐状部材４がゴムで形成されるので、ゴムを伸縮させることで、芯材部１を容易に頭部に装着することができる。また、このゴムは１０Ｋｇ程度の力が加えられると切れるため、誤って付け毛５が首に装着されてしまった場合でも、付け毛５に引っ張られて首が絞まる等の事故を防ぐことができ、安全性を高めることができる。
【００３０】
また、毛束３の根元部３０が、毛束固着部１１０と合わせてねじられることで毛束固着部１１０に固着されるので、毛束３が芯材部１から外れるのを防止できる。また、毛束３の根元部３０を毛束固着部１１０で補強できるので、毛束３を立ち上げた状態で確実に維持できる。
【００３１】
なお、上記の実施形態においては、芯材部１は１本の芯材Ｓで形成されたが、複数本の芯材Ｓを連結して１本に形成してもよい。
【００３２】
また、第１折返し部１０の根元部で筒状部材２に挿通された２本の芯材Ｓは互いに接触しており、第１折返し部１０の根元部に対して先端部側が広げられて環状部１００が形成されたが、根元部の２本の芯材Ｓは互いに接触していなくてもよく、環状部１００は第１折返し部１０の根元部に対して広げられていなくてもよい。
【００３３】
また、毛束固着部１１０は、第２折返し部１１の先端をねじることで形成されたが、毛束の根元部３０を固着するという機能を果たす限りにおいて、他の形状に形成されてもよい。
【００３４】
また、紐状部材４として伸縮性を有するゴムが用いられたが、たとえばワイヤーなど、頭部に装着可能なものであれば、他の部材でもよい。
【００３５】
また、紐状部材４は筒状の連結部材１３を介して芯材部１に取り付けられたが、連結部材１３は筒状でなくてもよく、また、連結部材１３を用いなくてもよい。たとえば、芯材部１の先端部を環状に折り曲げ、そこに紐状部材４をくくりつけてもよい。
【符号の説明】
【００３６】
１            芯材部
２            筒状部材
３            毛束
４            紐状部材
５            付け毛
１０          第１折返し部
１１          第２折返し部
１３          連結部材
３０          根元部
３１          根元端部
３２          糸
４０，１００  環状部
１１０        毛束固着部
Ｓ            芯材
Ｘ            間隔
【図１】
0003152984.tif 000003
【図２】
0003152984.tif 000004
【図３】
0003152984.tif 000005
【図４】
0003152984.tif 000006